(57)【要約】【課題】容器内に満杯状態で収納された冷凍剤の冷凍化に伴う膨張力が、容器構成体の可動により吸収されて容器の変形または破裂が防止される冷凍剤容器を提供すること。【解決手段】有底筒状の第一の容器構成体１と、この第一の容器構成体１の外側面に一体的にして、かつ可動可能に冠着された筒状の第二の容器構成体１０を含み、容器内に満杯状に収納された冷凍剤２０の冷凍化に伴う膨張力が、各容器構成体１、１０の相対的な可動により吸収されて、容器の変形または破裂が防止される。【選択図】    図２
2008261526.tif 000002
【特許請求の範囲】
【請求項１】
一面が開口した有底筒状の第一の容器構成体（１）と、この第一の容器構成体（１）の開口部（２）を閉塞して、第一の容器構成体（１）の外側面に一体的にして、かつ可動可能に冠着された筒状の第二の容器構成体（１０）を含み、
前記第一の容器構成体（１）および第二の容器構成体（１０）により形成された収納部に満杯状に収納された冷凍剤（２０）の冷凍化に伴う膨張力が、前記第一の容器構成体（１）および第二の容器構成体（１０）の相対的な可動により吸収されて、容器の変形または破裂が防止されるように構成された冷凍剤膨張に対応した冷凍剤容器。
【請求項２】
前記第一の容器構成体（１）および第二の容器構成体（１０）が、金属または硬質プラスチック等の硬質材から形成されている請求項１の冷凍剤膨張に対応した冷凍剤容器。
【請求項３】
相対向する二面が開口した筒状の第一の容器構成体（３０）と、この第一の容器構成体（３０）の二つの開口部（３１）をそれぞれ閉塞して、第一の容器構成体（３０）の外側面に一体的にして、かつ可動可能で対称形に冠着された筒状の第二および第三の容器構成体（４０）、（５０）を含み、
前記第一の容器構成体（３０）と前記第二および第三の容器構成体（４０）、（５０）により形成された収納部に満杯状に収納された冷凍剤（６０）の冷凍化に伴う膨張力が、前記第二の容器構成体（４０）と前記第三の容器構成体（５０）の可動により吸収されて、容器の変形または破裂が防止されるように構成された冷凍剤膨張に対応した冷凍剤容器。
【請求項４】
前記第一の容器構成体（３０）と前記第二の容器構成体（４０）、前記第三の容器構成体（５０）が、全て金属または硬質プラスチック等の硬質材から形成されている請求項３の冷凍剤膨張に対応した冷凍剤容器。
【発明の詳細な説明】
【技術分野】
【０００１】
本発明は、冷凍剤の膨張に対応した冷凍剤容器に関し、更には、容器が複数の容器構成体からなり、容器内に満杯状態で収納された冷凍剤の冷凍化に伴う膨張力が、容器構成体の可動により吸収されて容器の変形または破裂が防止し得るようにされた冷凍剤容器に関するものである。
【背景技術】
【０００２】
金属または硬質プラスチック等の硬質材で形成された容器に冷凍剤を満杯状に入れ、これを冷凍剤容器として用いると、中の冷凍剤の冷凍化の進行に伴って冷凍剤が膨張し、この膨張力が容器面に加わって容器が膨張変形を起こし、遂には破裂をも惹起こすことにもなりかねず、極めて危険である。
【０００３】
そこで、冷凍剤をゲル状化して、これをポリエチレンやポリプロピレン等の樹脂袋に入れ、冷凍剤の冷凍化の進行に伴う膨張力を樹脂袋の伸長によって吸収しているのが現状である。
【発明の開示】
【発明が解決しようとする課題】
【０００４】
本発明が解決しようとする問題点は、冷凍剤を満杯状態に収納する容器を、金属または硬質プラスチック等の硬質材で形成すると、冷凍剤の冷凍化に伴う膨張力により容器が膨張変形を起こし、遂には破裂をも惹起しかねないという点である。
【０００５】
従って、本発明の目的は、金属または硬質プラスチック等の硬質材で構成された容器が複数の容器構成体を含み、容器内に満杯状態で収納された冷凍剤の冷凍化に伴う膨張力が、容器構成体の可動により吸収されて容器の変形または破裂が防止される冷凍剤容器を提供することにある。
【０００６】
この目的のため、本発明の請求項1に記載の冷凍剤膨張に対応した冷凍剤容器は、一面が開口した有底筒状の第一の容器構成体１と、この第一の容器構成体１の開口部２を閉塞して、第一の容器構成体１の外側面に一体的にして、かつ可動可能に冠着された筒状の第二の容器構成体１０を含み、
前記第一の容器構成体１および第二の容器構成体１０により形成された収納部に満杯状に収納された冷凍剤２０の冷凍化に伴う膨張力が、前記第一の容器構成体１および第二の容器構成体１０の相対的な可動により吸収されて、容器の変形または破裂が防止されるようにした構成を特徴とするものである。
【０００７】
本発明の請求項２に記載の冷凍剤膨張に対応した冷凍剤容器は、第一の容器構成体１および第二の容器構成体１０が、金属または硬質プラスチック等の硬質材から形成されていることを特徴とするものである。
【０００８】
本発明の請求項３に記載の冷凍剤膨張に対応した冷凍剤容器は、相対向する二面が開口した筒状の第一の容器構成体３０と、この第一の容器構成体３０の二つの開口部３１をそれぞれ閉塞して、第一の容器構成体３０の外側面に一体的にして、かつ可動可能で対称形に冠着された筒状の第二および第三の容器構成体４０、５０を含み、
前記第一の容器構成体３０と前記第二および第三の容器構成体４０、５０により形成された収納部に満杯状に収納された冷凍剤６０の冷凍化に伴う膨張力が、前記第二の容器構成体４０と前記第三の容器構成体５０の可動により吸収されて、容器の変形または破裂が防止されるようにした構成を特徴とするものである。
【０００９】
本発明の請求項４に記載の冷凍剤膨張に対応した冷凍剤容器は、第一の容器構成体３０と第二の容器構成体４０、第三の容器構成体５０が、全て金属または硬質プラスチック等の硬質材から形成されていることを特徴とするものである。
【発明の効果】
【００１０】
請求項1から請求項４に記載の発明によれば、本冷凍剤容器は複数の容器構成体で構成されているから、容器内に満杯状態で収納された冷凍剤が冷凍化に伴い膨張しても、その膨張力は容器構成体の可動により吸収されるため、容器の変形または破裂を防止しすることができるものである。
【発明を実施するための最良の形態】
【００１１】
本発明に係る冷凍剤膨張に対応した冷凍剤容器は、金属または硬質プラスチック等の硬質材により一体的に形成された複数の容器構成体を含み、かつこれら容器構成体が相対的に可動可能として組み付けられて構成され、容器内に冷凍剤が満杯状態で収納されて実用に供される。
【００１２】
満杯状態の冷凍剤は、冷凍化が進んでくると膨張して容器内周面に膨張力が加わることになるが、この膨張力は可動する容器構成体の片面または両面によって吸収されるため、容器に膨張変形を来たしたり、破裂を来たしたりすることはない。
【００１３】
以下、本発明の具体的な実施例を図面に基づきその作用と共に説明する。
【００１４】
図１は、本発明に係る冷凍剤膨張に対応した冷凍剤容器の一例での平面図、図２は、図１の２−２線に沿った断面図で、冷凍剤が満杯状に収納されている状態を示し、図３は、冷凍剤の冷凍化に伴う膨張力の吸収状態を示す断面図である。
【００１５】
これら図において、本冷凍剤容器は、第一の容器構成体１と第二の容器構成体１０を備えている。
【００１６】
第一の容器構成体１と第二の容器構成体１０は、それぞれ全体が金属または硬質プラスチック等の硬質材による一体品であって、第一の容器構成体１は、一面が開口した有底の筒状体であり、第二の容器構成体１０は、第一の容器構成体１と略同形の筒状体であって、この第二の容器構成体１０は、第一の容器構成体１の開口部２を閉塞して、第一の容器構成体１の外側面に一体的にして、かつ可動可能に冠着される。
【００１７】
第一の容器構成体１に対する第二の容器構成体１０の冠着状態においては、第二の容器構成体１０の下端は、図２に示されているように、第一の容器構成体１の底面であるＡ−Ａ線上に近似した部位に位置し、両容器構成体１、１０は一体的な略完全な合体状態になるようになっている。
【００１８】
なお、図示の実施例においては、その形状は平面視円形に形成されているが、これに限定されるものではなく、四角形などの多角形でもよく、その形状や大きさ等は任意である。
【００１９】
次に、動作作用について説明する。
【００２０】
図２に示されているように、第一の容器構成体１と第二の容器構成体１０により形成された収納部に満杯状態で収納されている冷凍剤２０が冷凍化されていない状態においては、第一の容器構成体１と第二の容器構成体１０は略完全な合体状態にある。
【００２１】
図２に示された状態から、冷凍剤２０の冷凍化が進むと、冷凍剤２０は膨張して、その膨張力は容器構成体１、１０における冷凍剤２０との当接面に加わって冷凍剤２０は当接面側へ張り出ることになり、これにより図３に示されているように、第一の容器構成体１と第二の容器構成体１０は実線矢印Ｂと実線矢印Ｃ方向に相対的に可動して、冷凍剤２０の膨張力は吸収され、冷凍剤２０の膨張による容器の変形や破裂は防止される。
【００２２】
使用後、冷凍剤２０が弱体化し、冷凍化から解凍状態になると、膨張していた冷凍剤２０の容積が減少するので、再使用する場合には、第一の容器構成体１または第二の容器構成体１０を押圧して、図２に示された元の両容器構成体１、１０を略完全な合体状態に戻し、冷凍を開始する。
【００２３】
本発明に係る冷凍剤容器の変形は可能であり、図４および図５に他の変形態様が示されている。
【００２４】
図４および図５に示された実施例は、冷凍剤の厚みが厚くなった場合に、冷凍剤の膨張力を両面の容器構成体の可動によって吸収しようとするものである。
【００２５】
図４において、本例の冷凍剤容器は、第一の容器構成体３０と第二の容器構成体４０、第三の容器構成体５０を備えている。
【００２６】
第一の容器構成体３０と第二の容器構成体４０、第三の容器構成体５０は、それぞれ全体が金属または硬質プラスチック等の硬質材による一体品であって、第一の容器構成体３０は、相対向する二面が開口した筒状体であり、第二の容器構成体４０と第三の容器構成体５０は、一面が開口した筒状体であって対をなし、第二の容器構成体４０と第三の容器構成体５０は、それぞれ第一の容器構成体３０の二つの開口部３１を閉塞して、第一の容器構成体３０の外側面に一体的にして、かつ可動可能で対称形に冠着される。
【００２７】
第一の容器構成体３０に対する第二の容器構成体４０と第三の容器構成体６０の冠着状態においては、図４に示されているように、第二の容器構成体４０と第三の容器構成体５０の開口端面が第一の容器構成体３０の中間部において略当接し、三つの容器構成体３０、４０、５０は一体的な略完全な合体状態になるようになっている。
【００２８】
なお、本例における容器の形状や大きさ等については、図１から図３に示された実施例と同様に任意である。
【００２９】
次に、動作作用について説明する。
【００３０】
図４に示されているように、第二の容器構成体４０と第三の容器構成体５０により形成された第一の容器構成体３０内に満杯状態で収納されている冷凍剤６０が冷凍化されていない状態においては、第一の容器構成体３０と第二の容器構成体４０、第三の容器構成体５０は略完全な合体状態にある。
【００３１】
この図４に示された状態から、冷凍剤６０の冷凍化が進むと、冷凍剤６０は膨張して、その膨張力は容器構成体４０、５０における冷凍剤６０との当接面に加わって冷凍剤６０は当接面側へ張り出ることになり、これにより図５に示されているように、第二の容器構成体４０と第三の容器構成体５０は実線矢印Ｄ方向と実線矢印Ｅ方向に可動して、冷凍剤６０の膨張力は吸収され、冷凍剤６０の膨張による容器の変形や破裂は防止される。
【００３２】
使用後、冷凍剤６０が弱体化し、冷凍化から解凍状態になると、膨張していた冷凍剤６０の容積が減少するので、再使用する場合には、第二の容器構成体４０と第三の容器構成体５０を押圧して、図４に示された元の略完全な合体状態に戻し、冷凍を開始する。
【００３３】
なお、図１から図５に示されたいずれの実施例においても、各容器構成体が冷凍剤の膨張力で可動して膨張力が吸収されるが、各容器構成体の可動範囲は、冷凍剤の膨張力で伸びた以上の範囲には及ばないので、各容器構成体に、伸び過ぎ止めのストッパー手段を設ける必要はない。
【００３４】
また、いずれの実施例においても、本容器の製作工程において、各容器構成体のいずれかの一箇所にエアー抜き穴（図示しない。）を設ければ、冷凍剤を満杯状に収納しての各容器構成体の合体が容易となり、合体後にエアー抜き穴をスポット溶接又は接着剤で閉塞する。
【図面の簡単な説明】
【００３５】
【図１】本発明に係る冷凍膨張に対応した冷凍剤容器の一例での平面図である。
【図２】図１の２−２線に沿った断面図で、冷凍剤が満杯に収納されている状態を示す。
【図３】冷凍剤の冷凍化が進み、冷凍剤の膨張力が容器構成体の可動により吸収された状態を示す断面図である。
【図４】本発明の他例を示す断面図で、冷凍剤が満杯に収納されている状態を示す。
【図５】冷凍剤の冷凍化が進み、冷凍剤の膨張力が容器構成体の可動により吸収された状態を示す断面図である。
【符号の説明】
【００３６】
１、３０    第一の容器構成体
２、３１    開口部
１０、４０    第二の容器構成体
５０    第三の容器構成体
２０、６０    冷凍剤
【図１】
2008261526.tif 000003
【図２】
2008261526.tif 000004
【図３】
2008261526.tif 000005
【図４】
2008261526.tif 000006
【図５】
2008261526.tif 000007